(57)【特許請求の範囲】
【請求項１】
空気調和機の吸込口部材に設けた取付け板、又は固定板と、この取付け板、または固定板に吊下した支持カバーと、この支持カバーの底面に軸止したローラー取付け具と、このローラー取付け具の水平方向に設けた複数本の止め具と、この各止め具に、それぞれ軸承したローラーと、この複数のローラーに架承し、かつ前記ローラー取付け具との間に隙間を形成して設けた回転板と、この回転板に設けた弾性体でなるパーツ板と、この回転板とパーツ板とを緊締する押え具及び止め具と、この回転板と押え具との間で、かつこの回転板の接線方向に延設した複数本の支持シャフトと、この支持シャフトの先端に設けたファンとで構成した空気調和機用のファン装置であって、
前記隙間の存在と、複数のローラーに架承した回転板との構造で、この回転板と前記ファンの揺らぎを確保する構成とした空気調和機用のファン装置。
【請求項２】
空気調和機の枠板に磁着される磁石を設けた台座板と、この台座板に吊下した支持カバーと、この支持カバーの底面に軸止したローラー取付け具と、このローラー取付け具の水平方向に設けた複数本の止め具と、この各止め具に、それぞれ軸承したローラーと、この複数のローラーに架承し、かつ前記ローラー取付け具との間に隙間を形成して設けた回転板と、この回転板に設けた弾性体でなるパーツ板と、この回転板とパーツ板とを緊締する押え具及び止め具と、この回転板と押え具との間で、かつこの回転板の接線方向に延設した複数本の支持シャフトと、この支持シャフトの先端に設けたファンとで構成した空気調和機用のファン装置であって、
前記隙間の存在と、複数のローラーに架承した回転板との構造で、この回転板と前記ファンの揺らぎを確保する構成とした空気調和機用のファン装置。
【請求項３】
請求項１、又は請求項２に記載の空気調和機用のファン装置であって、
前記ファンは、その先端部を、天井方向に曲折した曲折げ偏倚傾斜構造でなる曲折掬い面を介して、前記空気調和機の吹出口からの空気を、確実に受止め、かつ遠方に向かって送風する構成した空気調和機用のファン装置。
【請求項４】
請求項１、又は請求項２に記載の空気調和機用のファン装置であって、
前記ローラーと、ローラー取付け具に、カバーを取付け、このローラーと、ローラー取付け具を隠蔽する構成とした空気調和機用のファン装置。
【発明の詳細な説明】
【技術分野】
【０００１】
本発明は、空気調和機の風を、確実に受止め、かつ回転軸を設けない構造の各種の空気調和機に、簡易に取付け可能であって、かつ風（空気）の揺らぎと、拡散効果が図れる空気調和機用のファン装置（空調機専用のファン装置）に関する。
【背景技術】
【０００２】
従来、空気調和機用のファン装置と関連がある先行文献として、下記の三件が挙げられるので、その概要を説明する。
【０００３】
文献（１）は、特開２０００−２０５６１７号公報の「天井扇」であり、この発明は、空調器の吹出口に、天井の鉛直方向に鉛直軸に設け、この鉛直軸の鉛直方向と直交する水平方向に延設した軸に、対の羽根を設け、この羽根は、前記軸を支軸として、鉛直方向から略３０°可動可能とする構造である。そして、この構造の特徴は、羽根の停止位置であり、明細書の［００１４］と［００１５］に開示されているように、暖房時は、羽根は冬用羽根ストッパーで、一定角度を保持し下に向け温風を吹き下げ、また、冷房時は、羽根は夏用ストッパーで、ほぼ垂直になり、冷風は周囲へと散らされる。従って、その効果は、［００１６］に開示されているように、この羽根の可動で、空調器の風を、冷房時には拡散し、暖房時には、吹き降ろすことで、快適な居住環境を確保することにある。
【０００４】
また、文献（２）は、特開２００６−１３２８１０号公報の「気流拡散装置（拡散扇）及び空気調和機」であり、この発明は、気流拡散装置（拡散扇）は、羽根部材とスポーク部材とハブ部材とからなる羽根車と、羽根車が架承されるシャフト部材と、このシャフト部材を天井面から吊り下げる吊下部材で構成し、この気流拡散装置を、空気調和機の吹き出し口付近に設置し、空気調和機から吹き降ろされる風（冷温風）を利用し、羽根車を自然に旋回させる構造であり、この構造の特徴は、［００１５］〜［００１７］に開示されている。そして、その効果は、［００１３］に開示されているように、空気（吹出気流）の拡散と、部屋全体の温度ムラの解消と、省資源（エコ）による羽根車の回転を図ることにある。
【０００５】
さらに文献（３）は、実開昭５８−１０２１３３号公報の「回転グリル」の考案であり、この考案は、空気調和機の吹出口の前方（下側）に回転グリルを設けた構造が開示されており、そして、この回転グリルには、風を受ける複数のブレードを設けた構造が説明、乃至図示されている。この考案は、風の拡散を図りつつ、風切り音の減少を図ることを意図する。
【０００６】
【特許文献１】特開２０００−２０５６１７号公報
【特許文献２】特開２００６−１３２８１０号公報
【特許文献３】実開昭５８−１０２１３３号公報
【発明の概要】
【発明が解決しようとする課題】
【０００７】
前述文献（１）〜（３）は、軸、又は回転軸に羽根、回転グリルを水平状態に取付ける構造であり、この羽根、回転グリルに揺らぎを与える構造でなく、この羽根、回転グリルの緩やかな動きと、空気調和機からの風に揺らぎを与えることは不可能であり、安らぎと、揺らぎの風を拡散できない問題点があった。
【０００８】
また、文献（１）の「天井扇」は、回転軸と羽根をモータで回転する構造であり、省エネルギー化と、エコの面で問題を抱えていること、また、給排気する構造の空調器には、使用できないこと等の改良点がある。
【０００９】
また、文献（２）の「気流拡散装置及び空気調和機」は、空気調和機に垂下した垂直シャフトにハブ部材を介して、スポーク部材を設け、スポーク部材に羽根（羽根車）を設けた構造である。この空気調和機の吹出口からの風を、羽根に吹き降ろす（吹付ける）ことで、羽根を水平方向において、旋回し、空気調和機の風と、室内の風（空気）の拡散を図る構造である。しかし、この発明は、回転軸にハブ部材を介して、羽根を設ける構造であり、回転軸とハブ部材に対する負荷がかかり、羽根の確実かつスムーズな旋回に、少なからず、問題がある。そして、この文献（２）は、羽根の回転軸を、シャフト部材で構成することから、体裁が悪いことが考えられる。
【００１０】
さらに、文献（３）の「回転グリル」は、回転グリルとして有益であり、空気調和機の風をうまく受止め、回転グリルとしての役割を果たしている。しかし、この回転グリルのブレードが、より効率的に、風を受けるためには、改良することが望ましい。
【課題を解決するための手段】
【００１１】
請求項１の発明は、ファンが、４方向マルチタイプ等の形態の空気調和機の風（冷温風）を、確実に受止め得る構造とし、このファンを自動的に旋回するとともに、ファンに揺らぎ効果を付与すること、また、この揺らぎで、風の効率的な拡散と、室内空気の撹拌を可能とすること、等を意図する。また、請求項１の発明は、支持カバーにローラー取付け具とローラーを設け、このローラー取付け具との間に隙間を形成して設けた回転板を介して、ファンの揺らぎ旋回を図る構造とし、空気調和機の僅かな風によっても、ファンの揺らぎ旋回を可能とすること、又は４方向マルチタイプ等の形態の空気調和機において、ファンの旋回を可能とすること、等を意図する。さらに、請求項１の発明は、ローラー取付け具に軸承したローラーを介して、隙間を形成して回転板を架承する構造とすることで、安全性の確保と、体裁のよい空気調和機用のファン装置の提供とを意図する。
【００１２】
請求項１は、空気調和機の吸込口部材に設けた取付け板、又は固定板と、この取付け板、または固定板に吊下した支持カバーと、この支持カバーの底面に軸止したローラー取付け具と、このローラー取付け具の水平方向に設けた複数本の止め具と、この各止め具に、それぞれ軸承したローラーと、この複数のローラーに架承し、かつ前記ローラー取付け具との間に隙間を形成して設けた回転板と、この回転板に設けた弾性体でなるパーツ板と、この回転板とパーツ板とを緊締する押え具及び止め具と、この回転板と押え具との間で、かつこの回転板の接線方向に延設した複数本の支持シャフトと、この支持シャフトの先端に設けたファンとで構成した空気調和機用のファン装置であって、
前記隙間の存在と、複数のローラーに架承した回転板との構造で、この回転板と前記ファンの揺らぎを確保する構成とした空気調和機用のファン装置である。
【００１３】
請求項２の発明は、ファンが、１方向マルチタイプの形態の空気調和機の風（冷温風）を、確実に受止め得る構造とし、このファンを自動的に旋回するとともに、ファンに揺らぎ効果を付与すること、また、この揺らぎで、風の効率的な拡散と、室内空気の撹拌を可能とすること、等を意図する。また、請求項２の発明は、支持カバーにローラー取付け具とローラーを設け、このローラー取付け具との間に隙間を形成して設けた回転板を介して、ファンの揺らぎ旋回を図る構造とし、空気調和機の僅かな風によっても、ファンの揺らぎ旋回を可能とすること、又は１方向マルチタイプの形態の空気調和機において、ファンの旋回を可能とすること、等を意図する。さらに、請求項２の発明は、ローラー取付け具に軸承したローラーを介して、隙間を形成して回転板を架承する構造とすることで、安全性の確保と、体裁のよい空気調和機用のファン装置の提供とを意図する。
【００１４】
請求項２は、空気調和機の枠板に磁着される磁石を設けた台座板と、この台座板に吊下した支持カバーと、この支持カバーの底面に軸止したローラー取付け具と、このローラー取付け具の水平方向に設けた複数本の止め具と、この各止め具に、それぞれ軸承したローラーと、この複数のローラーに架承し、かつ前記ローラー取付け具との間に隙間を形成して設けた回転板と、この回転板に設けた弾性体でなるパーツ板と、この回転板とパーツ板とを緊締する押え具及び止め具と、この回転板と押え具との間で、かつこの回転板の接線方向に延設した複数本の支持シャフトと、この支持シャフトの先端に設けたファンとで構成した空気調和機用のファン装置であって、
前記隙間の存在と、複数のローラーに架承した回転板との構造で、この回転板と前記ファンの揺らぎを確保する構成とした空気調和機用のファン装置である。
【００１５】
請求項３の発明は、請求項１、又は請求項２の目的を達成し、この空気調和機用のファン装置に採用するのに最適な、ファンの構造を提供することを意図する。
【００１６】
請求項３は、請求項１、又は請求項２に記載の空気調和機用のファン装置であって、
前記ファンは、その先端部を、天井方向に曲折した曲折げ偏倚傾斜構造でなる曲折掬い面を介して、前記空気調和機の吹出口からの空気を、確実に受止め、かつ遠方に向かって送風する構成した空気調和機用のファン装置である。
【００１７】
請求項４の発明は、請求項１、又は請求項２の目的を達成し、この空気調和機用のファン装置に採用するのに最適な、ローラーと、ローラー取付け具を隠蔽するカバーの構造を提供することを意図する。
【００１８】
請求項４は、請求項１、又は請求項２に記載の空気調和機用のファン装置であって、
前記ローラーと、ローラー取付け具に、カバーを取付け、このローラーと、ローラー取付け具を隠蔽する構成とした空気調和機用のファン装置である。
【発明の効果】
【００１９】
請求項１の発明は、空気調和機の吸込口部材に設けた取付け板、又は固定板と、取付け板、または固定板に吊下した支持カバーと、支持カバーの底面に軸止したローラー取付け具と、ローラー取付け具の水平方向に設けた複数本の止め具と、各止め具に、それぞれ軸承したローラーと、複数のローラーに架承し、かつローラー取付け具との間に隙間を形成して設けた回転板と、回転板に設けた弾性体でなるパーツ板と、回転板とパーツ板とを緊締する押え具及び止め具と、回転板と押え具との間で、かつ回転板の接線方向に延設した複数本の支持シャフトと、支持シャフトの先端に設けたファンとで構成した空気調和機用のファン装置であって、
隙間の存在と、複数のローラーに架承した回転板との構造で、回転板とファンの揺らぎを確保する構成とした空気調和機用のファン装置である。
【００２０】
従って、請求項１は、次の特徴がある。
「イ」  ファンが、４方向マルチタイプ等の形態の空気調和機の風（冷温風）を、確実に受止め得る構造とし、このファンを自動的に旋回するとともに、ファンに揺らぎ効果を付与できること、また、この揺らぎで、風の効率的な拡散と、室内空気の撹拌を可能となること、等である。
「ロ」  支持カバーにローラー取付け具とローラーを設け、このローラー取付け具との間に隙間を形成して設けた回転板を介して、ファンの揺らぎ旋回を図る構造とし、空気調和機の僅かな風によっても、ファンの揺らぎ旋回を可能となること、又は４方向マルチタイプ等の形態の空気調和機において、ファンの旋回を可能となること、等である。
「ハ」  ローラー取付け具に軸承したローラーを介して、隙間を形成して回転板を架承する構造となるので、安全性の確保と、体裁のよい空気調和機用のファン装置を提供できる。
【００２１】
請求項２の発明は、空気調和機の枠板に磁着される磁石を設けた台座板と、台座板に吊下した支持カバーと、支持カバーの底面に軸止したローラー取付け具と、ローラー取付け具の水平方向に設けた複数本の止め具と、各止め具に、それぞれ軸承したローラーと、複数のローラーに架承し、かつローラー取付け具との間に隙間を形成して設けた回転板と、回転板に設けた弾性体でなるパーツ板と、回転板とパーツ板とを緊締する押え具及び止め具と、回転板と押え具との間で、かつ回転板の接線方向に延設した複数本の支持シャフトと、支持シャフトの先端に設けたファンとで構成した空気調和機用のファン装置であって、
隙間の存在と、複数のローラーに架承した回転板との構造で、回転板とファンの揺らぎを確保する構成とした空気調和機用のファン装置である。
【００２２】
従って、請求項２は、次の特徴がある。
「イ」  ファンが、１方向マルチタイプの形態の空気調和機の風（冷温風）を、確実に受止め得る構造とし、このファンが自動的に旋回するとともに、ファンに揺らぎ効果を付与できること、また、この揺らぎで、風の効率的な拡散と、室内空気の撹拌を可能となること、等である。
「ロ」  支持カバーにローラー取付け具とローラーを設け、このローラー取付け具との間に隙間を形成して設けた回転板を介して、ファンの揺らぎ旋回を図る構造とし、空気調和機の僅かな風によっても、ファンの揺らぎ旋回が可能となること、又は１方向マルチタイプの形態の空気調和機において、ファンの旋回が可能となること、等である。
「ハ」  ローラー取付け具に軸承したローラーを介して、隙間を形成して回転板を架承する構造となるので、安全性の確保と、体裁のよい空気調和機用のファン装置を提供できる。
【００２３】
請求項３の発明は、請求項１、又は請求項２に記載の空気調和機用のファン装置のファンは、先端部を、天井方向に曲折した曲折げ偏倚傾斜構造でなる曲折掬い面を介して、空気調和機の吹出口からの空気を、確実に受止め、かつ遠方に向かって送風する構成した空気調和機用のファン装置である。
【００２４】
従って、請求項３は、前記「イ」〜「ハ」の特徴の他に、下記の特徴がある。
「ニ」  空気調和機用のファン装置に採用するのに最適な、ファンの構造を提供できる。
【００２５】
請求項４は、請求項１、又は請求項２に記載の空気調和機用のファン装置のファンは、ローラーと、ローラー取付け具に、カバーを取付け、ローラーと、ローラー取付け具を隠蔽する構成とした空気調和機用のファン装置である。
【００２６】
従って、請求項４は、前記「イ」〜「ハ」の特徴の他に、下記の特徴がある。
「ホ」  空気調和機用のファン装置に採用するのに最適な、ローラーと、ローラー取付け具を隠蔽するカバーの構造を提供できる。
【図面の簡単な説明】
【００２７】
【図１】空気調和機用のファン装置の仰視した斜視図
【図２】空気調和機用のファン装置の揺らぎしない状態の側面図
【図３】空気調和機用のファン装置の底面図
【図４】空気調和機用のファン装置を、取付け板を介して、空気調和機に取付ける過程を示した要部の拡大平面図
【図５】空気調和機用のファン装置の支持カバーと、ローラー、並びにファンの取付け状態の要部を示した拡大断面図
【図６】４方向マルチタイプ（方形状の一例）に、空気調和機用のファン装置を取付け、風の流れを示した側面模式図
【図７】４方向マルチタイプに、空気調和機用のファン装置を取付け、風の流れを示した底面模式図
【図８−１】４方向マルチタイプに、空気調和機用のファン装置を取付け、この空気調和機の風をファンが受け、回転（旋回）する状態の揺らぎの一例を示した側面模式図
【図８−２】図８−１の状態の空気調和機用のファン装置の支持カバーと、ローラー、並びにファンの取付け状態の要部を示した拡大断面図
【図９−１】４方向マルチタイプに、空気調和機用のファン装置を取付け、この空気調和機の風をファンが受け、回転（旋回）する状態の揺らぎの他の一例を示した側面模式図
【図９−２】図９−１の状態の空気調和機用のファン装置の支持カバーと、ローラー、並びにファンの取付け状態の要部を示した拡大断面図
【図１０】他の空気調和機用のファン装置の固定板に支持カバーと、ローラー、並びにファンの取付け状態の要部であって、回転板とファンが揺らいでない状態を示した拡大断面図
【図１１】１方向マルチタイプ（一方向吹出式の一例）に、空気調和機用のファン装置を取付け、風の流れを示した側面模式図
【図１２】１方向マルチタイプに、空気調和機用のファン装置を取付け、風の流れを示した底面模式図
【発明を実施するための形態】
【００２８】
１は空気調和機Ａ（調和機、空気調和機等）に取付けられるファン装置で、このファン装置１は、空気調和機Ａの吸込口部材Ｂ（ルーバー）に設ける取付け板２と、この取付け板２に、一本又は複数本の止め具３を介して架承した台座板４と、この台座板４に外嵌される開口５００を備えた半截卵形でなる支持カバー５と、この支持カバー５の上底面５０１（底面）に添接した倒Ｕ字型でなるローラー取付け具７と、この支持カバー５とローラー取付け具７を固定する止め具８と、このローラー取付け具７の外周面７ａで、かつその水平方向（Ｘ）に設けた複数本の止め具９と、この各止め具９に、それぞれ軸承した複数ローラー１０と、この各ローラー１０に架承され、かつこの各ローラー１０に面接触して自転する回転板１１と、この回転板１１の内周面１１００と、ローラー取付け具７の外周面７ａとの間に形成した揺らぎ用の隙間Ｓとで構成される。この発明では、図８−１と図８−２の如く、ファン１５（羽根）は、例えば、空気調和機Ａの吹出口Ａ１の空気Ｃ（風）を受けて、自動的に回転（旋回）するが、この際に、隙間Ｓの存在によって、回転板１１は、左側にあるファン１５が空気Ｃを受けて押圧されると、回転板１１の左側が押圧される。この向かって左側が押圧されることで、ファン１５の揺らぎが発生する。この一例の揺らぎの状態の回転板１１とファン１５等の要部を、図８−２において拡大して示す。また、図９−１と図９−２の如く、ファン１５は、例えば、空気調和機Ａの吹出口Ａ１の空気Ｃを受けて、自動的に回転するが、この際に、隙間Ｓの存在によって、回転板１１は、右側にあるファン１５が空気Ｃを受けて押圧されると、回転板１１の右側が押圧される。この向かって右側が押圧されることで、ファン１５の揺らぎが発生する。この他の一例の揺らぎの状態の回転板１１とファン１５等の要部を、図９−２において拡大して示す。このように、ファン１５が空気Ｃを受けて回転することで、回転板１１は、ローラー取付け具７に軸承したローラー１０の面を滑るようにして回転（旋回）し、かつ揺らぎが発生する。
【００２９】
また、前記支持カバー５の取付けと、ローラー取付け具７及びローラー１０と関係の一例を説明すると、この支持カバー５の上底面５０１に設けた孔５０２に、止め具８の螺子部を貫設し、この孔５０２に設けたナット５０３に、この止め具８の螺子部８００を螺着することで、この支持カバー５がローラー取付け具７に取付けられる。そして、このローラー取付け具７には、その水平方向に設けた複数本の止め具９を介して、複数個のローラー１０が、回転自在に設けられる。尚、この支持カバー５の水平方向（Ｘ）に設けられたローラー１０には、前記の如く、隙間Ｓを形成するようにして、環状の回転板１１が揺らぎできるように架承される。また、ローラー取付け具７の上面７ｂと支持カバー５の底面５０１との間には、スペーサ１２、ナット１２００を設ける。尚、この回転板１１は、ローラー１０との面接触で、緩やか、かつ騒音も少なく、自転し、かつ回転板１１は、ファン１５の回転（旋回）につられて回転することを特徴とするので、例えば、エコファンとして有益であること、また、騒音も極めて少ないのが特徴である。また、本発明のファン装置は、室内空気の拡散と循環、温度（湿度）の均一化と、冷えすぎ解消にも役立ち有益である。
【００３０】
次に、回転板１１とファン１５との構造を説明すると、回転板１１には、接線方向Ｅに向って切込み１３００を複数形成した環状の弾性材でなるパーツ板１３と、このパーツ板１３を取付ける環状の押え具１３ａと、止め具１３ｂとが設けられており、このパーツ板１３の切込み１３００には、ファン１５の支持シャフト１４の基端が、それぞれ挿入される。そして、この挿入時に、止め具１３ｂを緊締することで、切込み１３００に挿入された支持シャフト１４を弾性に支持する構造である。尚、この一例では、複数本の支持シャフト１４は、パーツ板１３を押え具１３ａで押圧することで、取付けられる。そして、このファン１５は、本体基端部１５ａは、細長形状の平板部１５００であり、また、先端部１５ｂは、天井Ｄ方向に曲折した曲折げ形成した偏倚傾斜構造の曲折掬い面１５０１であって、先端部１５ｂは、さらに回転方向に向かった傾斜端面１５０２とする構造である。この構造のファン１５は、空気調和機Ａの吹出口Ａ１からの空気Ｃを、確実に受止め、かつ遠方に向かって送風する。そして、この空気Ｃの流れは、図６、図７に示す如く、平板部１５００で受けた空気Ｃ１を、曲面掬い部１５０１に送り、この曲面掬い部１５０１で受止めて、回転の力とするとともに、その傾斜端面１５０２から外方に拡散する。この拡散の状態を、図中において空気Ｃ２として示した。また、天井Ｄと、ファン１５で形成される天井空間Ｈで、巻き込みの空気Ｃ３となる。これらの空気Ｃ１〜Ｃ３は、丁度、トルネード式の空気流域Ｃ４の流れとして捉えることが可能であり、このファン１５の回転力（旋回力）として機能し、かつ拡散的な空気流域Ｃ４の流れとして機能し、この空気調和機Ａから吹出した空気Ｃを有効利用できること、また、この吹出した空気Ｃが微風であっても、回転力となる。また、図示の４方向マルチタイプに限定されず、２方向ダブルタイプ（長方形状の一例）とか、図示の１方向ダブルタイプ（長方形状の他の一例）等の図示しない空気調和機（符号なし）でも採用ができ実用的である。尚、このファン１５は樹脂製の薄膜形状でも対応できるので、軽量化と、低コスト化に途を開く、ユニークな構造（商品）である。
【００３１】
図中２０はカバーで、ローラー１０と、ローラー取付け具７を隠蔽する。このカバー２０は、前記ローラー取付け具７の下端の開口７０に、その底部２０ａに設けた突出部２００１を嵌込み、その開口２００２に蓋２００３を設け、回転板１１に近接することで、このローラー１０と止め具９等への塵の進入と、商品価値の向上と、体裁の確保等を図る。
尚、前記ローラー取付け具７の取付けは、図示しないが、止め具８に限定されず、例えば、支持カバー５の上底面５０１に設けた固定手段に、差込み、及び／又は、固定式で支持する構造も可能である。
【００３２】
尚、図１０〜図１２に示した１方向マルチタイプの空気調和機Ａ１に、ファン装置を取付けた例では、取付け板２と、止め具３に代替して、台座板４に磁石２１を設けた構造であり、この磁石２１を、空気調和機Ａ１の枠板Ａ２に磁着し、ファン１５を吹出口Ａ１に設ける構造であり、その他は前述の４方向マルチタイプに準ずる。
【符号の説明】
【００３３】
１            ファン装置
２            取付け板
３            止め具
４            台座板
５            支持カバー
５００        開口
５０１        上底面
５０２        孔
５０３        ナット
７            ローラー取付け具
７０          開口
７ａ          外周面
７ｂ          上面
８            止め具
８００        螺子部
９            止め具
１０          ローラー
１１          回転板
１１００      内周面
１２          スペーサ
１２００      ナット
１３          パーツ板
１３００      切込み
１３ａ        押え具
１３ｂ        止め具
１４          支持シャフト
１５          ファン
１５００      平板部
１５０１      曲折掬い面
１５０２      傾斜端面
１５ａ        本体基端部
１５ｂ        先端部
２０          カバー
２００１      突出部
２００２      開口
２００３      蓋
２０ａ        底部
２１          磁石
Ａ            空気調和機
Ａ１          吹出口
Ａ２          板枠
Ｂ            吸込口部材
Ｃ            空気
Ｃ１          空気
Ｃ２          空気
Ｃ３          空気
Ｃ４          空気流域
Ｄ            天井
Ｅ            接線方向
Ｓ            隙間
Ｘ            水平方向
Ｈ            天井空間
【図１】
0005735871.tif 000002
【図２】
0005735871.tif 000003
【図３】
0005735871.tif 000004
【図４】
0005735871.tif 000005
【図５】
0005735871.tif 000006
【図６】
0005735871.tif 000007
【図７】
0005735871.tif 000008
【図８−１】
0005735871.tif 000009
【図８−２】
0005735871.tif 000010
【図９−１】
0005735871.tif 000011
【図９−２】
0005735871.tif 000012
【図１０】
0005735871.tif 000013
【図１１】
0005735871.tif 000014
【図１２】
0005735871.tif 000015